(57)【特許請求の範囲】
【請求項１】
軸方向に流体通路を有する継手本体（１）と、継手本体（１）と螺合してテフロン管（３）のフレア部（３ａ）を継手本体（１）の端面に押圧するナット（２）を有するテフロン管用継手において、
フレア部（３ａ）はテフロン管（３）の長手方向に対して直角に形成されており、
継手本体（１）の端面に、テフロン管（３）のフレア部（３ａ）が挿入される環状溝（１ａ）が形成されており、
フレア部側の外周壁の、フレア部（３ａ）に面する部分のみに溝部（４ａ）を有する溝付きスリーブ（４）と、溝付きスリーブ（４）とナット（２）との間に設けられている摩擦係数の小さいスラストワッシャ（７）と、溝付きスリーブ（４）とスラストワッシャ（７）との間に設けられている皿バネ（５）とを有し、
ナット（２）の鍔（２ａ）が、少なくともスラストワッシャ（７）と皿バネ（５）と溝付きスリーブ（４）を介して、テフロン管（３）のフレア部（３ａ）を押圧する
ことを特徴とするテフロン管用継手。
【発明の詳細な説明】
【０００１】
【発明の属する技術分野】
本発明はテフロン管用継手に係るものであり、特に、大口径のテフロン管用継手に関するものである。
【０００２】
【従来の技術】
従来より、直流整流機などの純水冷却用の配管には、電気絶縁性のあるテフロン管が使用され、その接続には、図５に示すような汎用のダブルリング式の圧縮継手が用いられている。この圧縮継手は、継手本体２１とナット２２とその間に設けられる圧縮リング２３とから構成され、それらの内部に管２４が挿入されて接続されるようになっている。なお、圧縮リング２３はフロントリング２３ａとバックリング２３ｂのダブルリングとから構成されている。
【０００３】
テフロン管用継手は使用上、高温から急冷される場合が多いが、上記従来の圧縮継手は、膨張、収縮に対する柔軟性に劣り、熱サイクルに弱いので、使用上問題があった。
【０００４】
このような問題を解決するために、先に本出願人は登録実用新案公報第３０１８０２８号によって、図６に示すようなテフロン管用継手を提案した。この管用継手は、軸方向に流体通路を有する継手本体１１と、テフロン管１３の外周壁に挿入され両面にリテーナー１６，１７を有する皿バネ１５と、継手本体１１と螺合し皿バネ１５を介してテフロン管１３の管端に形成されたフレア部１３ａを継手本体１１の端面に押圧するナット１２とから構成されている。
【０００５】
【発明が解決しようとする課題】
従来の技術で述べた後者のテフロン管用継手は、前者のダブルリング式の圧縮継手に比べ、継手本体とテフロン管のフレア部が皿バネなどの弾性部材を介して締め付けられているので、熱サイクルに対して優れたシール性能を有している。
【０００６】
しかしながら、このテフロン管用継手の場合、テフロン管に過大な引張荷重が作用した場合、テフロン管が抜けるという現象が生ずることがあり、また、ナットを締め付けるとテフロン管が共回りするという現象が生ずることがある。
【０００７】
本発明は、従来の技術の有するこのような問題点を解決するためになされたものであって、上述したテフロン管用継手において、引張荷重が作用してもテフロン管が抜けず、ナットを回してもテフロン管が共回りしないテフロン管用継手を提供することにある。
【０００８】
【課題を解決するための手段】
本発明は、上述した課題を次の様にして解決した。すなわち、軸方向に流体通路を有する継手本体と、継手本体と螺合してテフロン管のフレア部を継手本体の端面に押圧するナットを有するテフロン管用継手において、フレア部はテフロン管の長手方向に対して直角に形成されており、継手本体の端面に、テフロン管のフレア部が挿入される環状溝が形成されており、フレア部側の外周壁の、フレア部に面する部分のみに溝部を有する溝付きスリーブと、溝付きスリーブとナットとの間に設けられている摩擦係数の小さいスラストワッシャと、溝付きスリーブとスラストワッシャとの間に設けられている皿バネとを有し、ナットの鍔が、少なくともスラストワッシャと皿バネと溝付きスリーブを介して、テフロン管のフレア部を押圧する。
これにより、テフロン管のフレア部が溝付きスリーブによって継手本体の端面に押圧されるので、テフロン管に過大な引張荷重が作用しても管用継手から抜けるということはない。また、スラストワッシャを設けたことによりナットを回してもテフロン管が共回りしない。
【０００９】
【発明の実施の形態】
本発明によるテフロン管用継手は、軸方向に流体通路を有する継手本体と、継手本体と螺合してテフロン管のフレア部を継手本体の端面に押圧するナットを有するテフロン管用継手において、フレア部はテフロン管の長手方向に対して直角に形成されており、継手本体の端面に、テフロン管のフレア部が挿入される環状溝が形成されており、フレア部側の外周壁の、フレア部に面する部分のみに溝部を有する溝付きスリーブと、溝付きスリーブとナットとの間に設けられている摩擦係数の小さいスラストワッシャと、溝付きスリーブとスラストワッシャとの間に設けられている皿バネとを有し、ナットの鍔が、少なくともスラストワッシャと皿バネと溝付きスリーブを介して、テフロン管のフレア部を押圧することを特徴とする。
【００１３】
【実施例】
以下、本発明の一実施例について図面を参照して説明する。
【００１４】
図１はテフロン管用継手の全体構成を示す軸方向要部断面図である。
【００１５】
同図において、符号１で示されるものは継手本体であり、その軸方向に流体通路が形成されている。継手本体１の両側外周壁には、それぞれ雄ねじが設けられ、一端は機器（図示せず）などに螺合され、他端にはナット２が螺合される。
【００１６】
前記継手本体１のナット側の端面には環状溝１ａが同心状に形成され、その底面は、接続されるテフロン管３のフレア部３ａの角度（実質的に９０゜）に応じた形状とされている。また、継手本体１の環状溝１ａの内壁部１ｂは、その外壁部１ｃより軸方向に長く延びている。この延長された内壁部１ｂによってテフロン管３のフレア部３ａの内周壁が支持される。
【００１７】
テフロン管３の外周壁には、前記継手本体１の雄ねじと螺合されるナット２が挿入され、このナット２の端部には内方に向けて鍔２ａが形成されている。
【００１８】
テフロン管３のフレア部側の外周壁には、フレア部側より順に、溝付きスリーブ４、弾性部材としての皿バネ５、リテーナー６およびスラストワッシャ７が設けられ、前記ナット２の鍔２ａによって締め付けられるようになっている。
【００１９】
前記溝付きスリーブ４のフレア部側の面は、図２に示すような溝切り加工がされている。溝切り加工は、真円加工によるものが望ましいが、螺旋加工でもよい。なお、図２（ｂ）に示すハッチング部は山形形状の溝部４ａを示している。
【００２０】
また、前記スラストワッシャ７には、摩擦係数が0.15〜0.22と非常に小さいもの、例えばノートン社製（商品名メタロプラストＴ）が使用されている。スラストワッシャ７は、図３に示すように１ヶ所カットされ、摩耗した場合に取り外しが容易となっている。
【００２１】
次に、上述したテフロン管用継手とテフロン管の接続について説明する。
【００２２】
まず、テフロン管３の外周壁に、ナット２、スラストワッシャ７、リテーナー６、皿バネ５、溝付きスリーブ４を順次はめ込む。次いで、専用のフレア加工機により管端を加熱、加圧して実質的に９０゜の角度でフレア加工する。
【００２３】
次に、テフロン管３のフレア部３ａを、継手本体１の端面に設けられている環状溝１ａに挿入してナット２を締付ける。これにより、前記ナット２の鍔２ａは、皿バネ５などを介してテフロン管３のフレア３ａ部を、継手本体１の環状溝１ａの底部に押圧する。このようにして、継手本体１とテフロン管３の接続がなされて内部流体を封止することができる。すなわち、継手本体１にナット２を、所定回転数または所定トルクで締付けると、皿バネ５が圧縮され適正な封止面圧が得られ、熱サイクルによる膨張、収縮を吸収することができる。その際、テフロン管３のフレア部３ａの内周壁は、前記継手本体１の延長された内壁部１ｂによって支持されているので、テフロン管３と継手本体１との芯がずれることはない。
【００２４】
上述した実施例では、継手本体１とテフロン管３のフレア部３ａが皿バネ５などの弾性部材を介して締め付けられているので、高温、低温の熱サイクルに対して優れたシール性能を有している。ただし、使用上、熱サイクルがシール性能にそれほど影響しない場合には、図４に示す参考例のように、上述したテフロン管用継手から皿バネ５とリテーナ６を除いて、溝付きスリーブ４とスラストワッシャ７のみとし、安価なテフロン管用継手とすることもできる。
【００２５】
【発明の効果】
本発明は、以上説明したように構成されているので、次のような効果を得ることができる。すなわち、テフロン管のフレア部は、溝付きスリーブによって継手本体の環状溝に押圧されているので、テフロン管に過大な引張荷重が作用しても管用継手から抜けるということはない。また、溝付きスリーブのナット側に摩擦係数の小さいスラストワッシャ設けたことにより、ナットを回してもテフロン管が共回りしない。
【図面の簡単な説明】
【図１】本発明の一実施例のテフロン管用継手を示す軸方向要部断面図である。
【図２】  溝付きスリーブを示す図であり、図２（ａ）は正面図、図２（ｂ）は側面図である。
【図３】  スラストワッシャを示す図であり、図３（ａ）は正面図、図３（ｂ）は側面図である。
【図４】  本発明の参考例のテフロン管用継手を示す軸方向要部断面図である。
【図５】従来例のダブルリング式の圧縮継手を示す軸方向断面図である。
【図６】従来例のテフロン管用継手を示す軸方向要部断面図である。
【符号の説明】
１  継手本体
１ａ  環状溝
１ｂ  内壁部
１ｃ  外壁部
２  ナット
２ａ  鍔
３  テフロン管
３ａ  フレア部
４  溝付スリーブ
４ａ  溝部
５  皿バネ（弾性部材）
６  リテーナー
７  スラストワッシャ
【図１】
0003764215.tif 000002
【図２】
0003764215.tif 000003
【図３】
0003764215.tif 000004
【図４】
0003764215.tif 000005
【図５】
0003764215.tif 000006
【図６】
0003764215.tif 000007